(57)【要約】本発明は文字入力装置に関するものであって、方向移動入力及び方向押圧入力可能に設けられた入力手段と、上記方向移動入力を感知する移動入力感知部と、上記方向押圧入力を感知する押圧入力感知部と、上記移動入力感知部及び押圧入力感知部の感知結果に基づいて、これに対応する入力命令をメモリ部から抽出して実行する制御部とを含む。これによって、文字入力に必要な空間を最小化しながらも使用者の意図によって各文字を正確に入力できる新たな形態の文字入力装置が提供される。また、方向移動入力と方向押圧入力とを組合せて１回の連続動作で２つ以上の音素を入力できるので、迅速な文字入力が可能である。また、入力空間が最小化できるので、製品を小型化、かつスリム化できるので、ＰＤＡ、ノートブック、携帯用移動通信端末機など、各種携帯用電子機器への適用が可能である。【選択図】図２
2009516260.tif 000002
【特許請求の範囲】
【請求項１】
方向移動入力及び方向押圧入力可能に設けられた入力手段と、
前記方向移動入力を感知する移動入力感知部と、
前記方向押圧入力を感知する押圧入力感知部と、
前記移動入力感知部及び押圧入力感知部の感知結果に基づいて、これに対応する文字をメモリ部から抽出して実行する制御部と、
を含むことを特徴とする文字入力装置。
【請求項２】
前記方向移動入力は、前記入力手段が基準位置を中心として放射方向に移動され、遂行されることを特徴とする請求項１に記載の文字入力装置。
【請求項３】
前記方向移動入力は、前記入力手段が前記基準位置を中心として円周方向にも移動され、遂行されることを特徴とする請求項２に記載の文字入力装置。
【請求項４】
前記方向移動入力は多段入力が可能であることを特徴とする請求項２に記載の文字入力装置。
【請求項５】
前記移動入力感知部は、前記基準位置から前記各放射方向に沿って複数個で設けられて、前記入力手段の移動を順次に感知して多段入力が遂行されることを特徴とする請求項４に記載の文字入力装置。
【請求項６】
前記入力手段は、前記基準位置を中心として入力半径内で入力手段の全体が水平移動されることを特徴とする請求項２乃至５のうち、いずれか１項に記載の文字入力装置。
【請求項７】
前記入力手段は、前記基準位置から前記各放射方向に傾けることが可能なポインティングデバイスであることを特徴とする請求項２乃至５うち、いずれか１項に記載の文字入力装置。
【請求項８】
前記ポインティングデバイスは、上下に昇降可能であって、文字入力時、入力手段を上昇させた後、前記方向移動入力を遂行するように設けられることを特徴とする請求項７に記載の文字入力装置。
【請求項９】
前記入力手段の方向移動入力は、トラックポイント感知方式により感知されることを特徴とする請求項２乃至５のうち、いずれか１項に記載の文字入力装置。
【請求項１０】
前記各移動入力感知部が位置した方向に前記入力手段の移動方向を案内するガイド部をさらに含むことを特徴とする請求項２乃至５のうち、いずれか１項に記載の文字入力装置。
【請求項１１】
前記ガイド部は、前記入力手段が前記基準位置から前記各放射方向に移動されることをガイドする複数の直線ガイドを含むことを特徴とする請求項１０に記載の文字入力装置。
【請求項１２】
前記ガイド部は、前記入力手段の円周方向移動をガイドする円形ガイドをさらに含むことを特徴とする請求項１０に記載の文字入力装置。
【請求項１３】
前記ガイド部は、前記入力手段の下部に前記基準位置を中心として回転可能に設けられた回転板と、前記回転板に前記基準位置から前記各移動入力感知部に向かう直線溝で設けられた複数の直線ガイドを含み、
前記入力手段が前記直線ガイドに沿って放射方向に移動した後、前記直線ガイドの端部で前記入力手段と前記回転板が同時に回転し、前記入力手段の円周移動をガイドする回転ガイドで設けられることを特徴とする請求項１０に記載の文字入力装置。
【請求項１４】
前記各直線ガイドは、前記入力手段の下部の一側が移動可能に受容される溝形状で設けられ、かつ前記各基準位置側の端部は前記基準位置に向かって下り傾斜をなすことを特徴とする請求項１１に記載の文字入力装置。
【請求項１５】
前記ガイド部は弾性材質で設けられることを特徴とする請求項１０に記載の文字入力装置。
【請求項１６】
前記ガイド部は、前記入力手段の方向移動時、クリック感を発生させるクリック手段をさらに含むことを特徴とする請求項１０に記載の文字入力装置。
【請求項１７】
前記入力手段と前記円形ガイドとの間に設けられて、前記方向移動入力が多段で遂行される場合、前記各方向移動入力に対して互いに異なる抵抗力を提供する１つ以上の弾性部材をさらに含むことを特徴とする請求項１２に記載の文字入力装置。
【請求項１８】
前記入力手段は、１段及び２段方向移動入力可能に設けられて、前記弾性部材は相対的に低い弾性係数を有し、前記入力手段に隣接して設けられる第１弾性部材と、相対的に高い弾性係数を有し、前記円形ガイドに隣接するように設けられる第２弾性部材とを含むことを特徴とする請求項１７に記載の文字入力装置。
【請求項１９】
前記入力手段が前記円周方向に移動した後、基準位置に戻りながら複数個の移動入力感知部に感知されると、前記制御部は前記複数の感知結果のうち、最終の感知結果に対応する入力命令を遂行することを特徴とする請求項３に記載の文字入力装置。
【請求項２０】
前記入力手段は、弾性材質で形成されることを特徴とする請求項２に記載の文字入力装置。
【請求項２１】
前記入力手段の上部面には摺動防止部が設けられることを特徴とする請求項２に記載の文字入力装置。
【請求項２２】
前記基準位置には前記入力手段が前記基準位置に位置していることを感知する基準位置感知部をさらに含むことを特徴とする請求項２に記載の文字入力装置。
【請求項２３】
前記方向押圧入力は、前記入力手段が放射方向に向けて傾きながら入力されることを特徴とする請求項２乃至５のうち、いずれか１項に記載の文字入力装置。
【請求項２４】
前記方向押圧入力は、前記入力手段の上部に前記各放射方向に対応して設けられた押圧部を選択することにより入力されることを特徴とする請求項２乃至５のうち、いずれか１項に記載の文字入力装置。
【請求項２５】
前記入力手段がポインティングデバイスである場合、前記押圧部は前記ポインティングデバイスの側面から外周面に沿って各放射方向に対応して設けられることを特徴とする請求項２４に記載の文字入力装置。
【請求項２６】
前記方向移動入力によっては子音文字が、前記方向押圧入力によっては母音文字が入力されることを特徴とする請求項１または４に記載の文字入力装置。
【請求項２７】
前記方向押圧入力は８個の入力方向を有し、前記方向押圧入力にはアルファベットの‘Ａ’、‘Ｉ’、‘Ｅ’、‘Ｏ’、‘Ｕ’と、‘Ｗ’、‘Ｙ’のうち、１つ以上が割り当てられることを特徴とする請求項２６に記載の文字入力装置。
【請求項２８】
前記制御部は、ハングル入力時、前記方向移動入力と前記方向押圧入力が所定の時間内に入力される場合、子音入力を先に入力することを特徴とする請求項２６に記載の文字入力装置。
【請求項２９】
前記入力手段に中央入力が可能であることを特徴とする請求項２乃至５のうち、いずれか１項に記載の文字入力装置。
【請求項３０】
前記中央入力は、前記入力手段の中央部に設けられて上下移動可能に設けられた中央入力キーと、前記中央入力キーの移動を感知する中央入力キー感知部により遂行されることを特徴とする請求項２９に記載の文字入力装置。
【請求項３１】
前記中央入力は、前記入力手段の全体が上下に移動され、ポンピング入力が遂行され、前記ポンピング入力を感知するポンピング入力感知部により遂行されることを特徴とする請求項２９に記載の文字入力装置。
【請求項３２】
前記中央入力は、多段入力可能に設けられることを特徴とする請求項２９に記載の文字入力装置。
【請求項３３】
前記中央入力により文字が入力されることを特徴とする請求項３２に記載の文字入力装置。
【請求項３４】
前記方向押圧入力は８個の入力方向を有し、ハングル母音の
2009516260.tif 000016
は前記中央入力に割り当てられ、残りのハングル母音は前記方向押圧入力に割り当てられることを特徴とする請求項３３に記載の文字入力装置。
【請求項３５】
前記中央入力により入力モード切換が遂行されることを特徴とする請求項２９に記載の文字入力装置。
【請求項３６】
前記中央入力と、前記方向移動入力または前記方向押圧入力のうちのどれか１つとが同時に遂行される場合、各方向移動入力または方向押圧入力に割り当てられた文字の変換、モード切換、または独立された入力命令のうち、どれか１つが遂行されることを特徴とする請求項３５に記載の文字入力装置。
【請求項３７】
前記方向押圧入力は４個の入力方向を有し、アルファベット文字入力時、前記各入力方向には‘Ａ’、‘Ｅ、Ｉ’、‘Ｗ、Ｙ’、‘Ｏ、Ｕ’の１つまたは２つの文字がハングル文字入力時、前記各入力方向には
2009516260.tif 000017
の２つの文字が割り当てられ、前記中央入力と共に前記方向押圧入力が遂行される場合、どれか１つの文字から他の文字に変換されて入力されることを特徴とする請求項３６に記載の文字入力装置。
【請求項３８】
前記多段方向移動入力のうちのどれか１つ、前記方向押圧入力または前記中央入力のうちのどれか１つにより、数字または記号のうちのどれか１つの入力セットが入力されることを特徴とする請求項４に記載の文字入力装置。
【請求項３９】
前記入力手段、移動入力感知部、押圧入力感知部、及び制御部が受容されるケースをさらに含み、前記ケースには前記入力手段により入力される文字モード（記号、数字、狭義の文字）を切換させる１つ以上の切換キーが設けられることを特徴とする請求項１に記載の文字入力装置。
【請求項４０】
前記ケースには、データ入力時、エンター、取消、カーソル移動、スペース、シフト、コントロール、または文字の組合せのうち、どれか１つの機能を遂行する１つ以上のファンクションキーがさらに設けられることを特徴とする請求項３９に記載の文字入力装置。
【請求項４１】
前記制御部により抽出された文字が表示されるディスプレイ部をさらに含むことを特徴とする請求項１に記載の文字入力装置。
【請求項４２】
前記ディスプレイ部を通じて使用者の入力動作に従う入力内容、または選択された文字モードが表示される入力ウィンドウを表示することを特徴とする請求項４１に記載の文字入力装置。
【請求項４３】
前記入力手段は、マウス機能を遂行することを特徴とする請求項３に記載の文字入力装置。
【請求項４４】
前記入力手段は、ゲームモードではジョイスチックの機能を遂行することを特徴とする請求項３に記載の文字入力装置。
【請求項４５】
前記移動入力感知部または前記押圧入力感知部は、前記入力手段の入力半径の全体に分布されることを特徴とする請求項１に記載の文字入力装置。
【請求項４６】
前記入力手段の外側に、入力状態によって、スクロール、ボリューム調節、または検索機能を遂行する回転ホイールがさらに備えられたことを特徴とする請求項４３に記載の文字入力装置。
【請求項４７】
前記入力手段は、方向移動及び方向押圧入力可能に突出していることを特徴とする請求項２乃至５のうち、いずれか１項に記載の文字入力装置。
【請求項４８】
前記入力手段の側面に多数の押圧スイッチが形成されていることを特徴とする請求項４７に記載の文字入力装置。
【請求項４９】
前記入力手段は、自体が回転可能に設けられることを特徴とする請求項２乃至５のうち、いずれか１項に記載の文字入力装置。
【請求項５０】
前記入力手段は、相互同一または異なる文字配置を有する２つの入力部から構成されたことを特徴とする請求項１に記載の文字入力装置。
【請求項５１】
基準位置を中心として各放射方向に移動しながら遂行される方向移動入力及び前記各放射方向に向けて傾きながら遂行される方向押圧入力可能に設けられた入力手段と、
前記方向移動入力を感知する移動入力感知部と、
前記方向押圧入力を感知する押圧入力感知部と、
前記移動入力感知部及び押圧入力感知部の感知結果に基づいて、各放射方向に割り当てられた文字をメモリ部から抽出して入力する制御部と、
を含むことを特徴とする入力装置。
【請求項５２】
基準位置を中心として各放射方向に移動しながら方向移動入力がなされる入力手段と、
前記入力手段の上部に各放射方向に対応して設けられて方向押圧入力が遂行される押圧部と、
前記方向移動入力を感知する移動入力感知部と、
前記方向押圧入力を感知する押圧入力感知部と、
前記移動入力感知部及び押圧入力感知部の感知結果に基づいて各放射方向に割り当てられた文字をメモリ部から抽出して入力する制御部と、
を含むことを特徴とする入力装置。
【請求項５３】
前記入力手段の中央部に設けられて上下移動可能に設けられた中央入力キーと、前記中央入力キーの移動を感知する中央入力キー感知部をさらに含むことを特徴とする請求項５１または５２に記載の入力装置。
【請求項５４】
前記方向移動入力は、前記入力手段が前記基準位置を中心として円周方向にも移動しながら遂行されることを特徴とする請求項５３に記載の入力装置。
【請求項５５】
前記移動入力感知部は、前記基準位置から前記各放射方向に沿って複数個で設けられて、前記入力手段の移動を順次に感知して多段入力が遂行されることを特徴とする請求項５４に記載の入力装置。
【請求項５６】
前記入力手段は２つの入力部から構成されたことを特徴とする請求項５５に記載の入力装置。
【請求項５７】
前記方向移動入力によっては子音文字が、前記方向押圧入力によっては母音文字が入力されることを特徴とする請求項５５に記載の入力装置。
【請求項５８】
前記入力手段はマウス機能を遂行することを特徴とする請求項５１または５２に記載の入力装置。
【請求項５９】
前記入力手段は、ゲームモードではジョイスチックの機能を遂行することを特徴とする請求項５１または５２に記載の入力装置。
【請求項６０】
前記入力手段はディスプレイ部と脱着が可能であることを特徴とする請求項４１に記載の文字入力装置。
【請求項６１】
前記移動入力感知部は円形ガイド側面に設置されていることを特徴とする請求項１２に記載の文字入力装置。
【発明の詳細な説明】
【技術分野】
【０００１】
本発明は、文字入力装置に関し、特に方向移動入力と方向押圧入力を１つの入力手段で同時にまたは順次に遂行されるようにすることで、２音素以上の文字を１回の入力動作により速くて正確に入力できる文字入力装置及び文字入力方法に関する。
【背景技術】
【０００２】
ソフトウェアと半導体技術及び情報処理技術が発達するにつれて、情報機器がますます小型化されており、このような情報機器における文字入力量と重要度がますます大きくなっている。
【０００３】
ところが、このような情報機器において、各種文字や命令語の入力に多くの問題点が表れている。例えば、ＰＣ（Personal Computer）またはノートブック（Note Book）に使われるキーボードのような入力装置は、大きさを縮めることに限界があり、これらの情報機器を小型化することに困難性があり、ＰＤＡ（Personal Data Assistant）で使用するタッチスクリーン方式や携帯電話で使用するキーパッド方式では、入力速度が遅く、間違って入力される場合が多いので、不便な点がある。
【０００４】
前述したＰＣ、ノートブック、ＰＤＡ、または携帯電話などの情報機器において、より速い速度で文字、数字、または記号などを入力するためには、１回の入力動作に１つの音素（文字）が入力される、いわゆる１打１音素入力がなされる必要があり、このような１打１音素入力がハングルを対象にする場合には２４個以上の文字を入力するためのボタンや入力キーが情報機器に配列される必要がある。入力の対象となる言語が英語や日本語、またはその他の外国語の場合にはハングルの場合より多いボタンや入力キーを増設しなければならないかもしれない。
【０００５】
しかしながら、各種情報機器で使用する従来の入力装置は、それぞれの入力キーに文字を割り当てて、指でたたいたり押さえて入力する方式であるので、入力キーの配列面積が狭い携帯電話のような個人携帯用情報端末機には指サイズの入力キーを２４個以上配列することが困難である。
【０００６】
その点が今までキーボードが小型化され難い理由であり、携帯電話の場合には単に１２つのボタンで２４字以上のハングル文字を全て入力していると１つのボタンに多数個の文字を重複配列することが不回避であり、これによって１つの文字（音素）を入力するために二回、三回、繰り返して入力する反復入力現象がよく発生した。したがって、それだけ入力が遅くなり、不便な点があった。
【０００７】
このような問題を解消するために、天地人のように、所定の文字を組合せて入力する文字入力方式が提案されることもあったが、この方式でも反復入力現象は解消できなかった。
【０００８】
また、くるくる巻いて携帯できるキーボードやキーボードの字板のイメージを底に映写し、その上で指でキーボードを入力するような動作を行うと、指の位置を感知して入力がなされる仮想レーザーキーコードなどの技術も提案されたところがある。
【０００９】
しかしながら、このような種類の入力装置は常に携帯しなければならない不便性があり、底に置かれた状態のみで入力が可能であるので、移動中に手で持って入力する必要がある個人携帯用情報端末機への適用が適しないという問題点があった。
【発明の開示】
【発明が解決しようとする課題】
【００１０】
本発明は、上記の問題点を解消するために案出したものであって、方向移動入力及び方向押圧入力可能に設けられた入力手段と、上記方向移動入力を感知する移動入力感知部と、上記方向押圧入力を感知する押圧入力感知部と、上記移動入力感知部及び押圧入力感知部の感知結果に基づいて、これに対応する文字をメモリから抽出して実行する制御部とを含む文字入力装置を提供することをその目的とする。
【課題を解決するための手段】
【００１１】
上記方向移動入力は、上記入力手段が基準位置を中心として放射方向に移動され、遂行されることができる。
【００１２】
上記方向移動入力は、上記入力手段が上記基準位置を中心として円周方向にも移動され、遂行されることができる。
【００１３】
上記方向移動入力は多段入力可能に設けられることができる。
【００１４】
上記移動入力感知部は、上記基準位置から上記各放射方向に沿って複数個で設けられて、上記入力手段の移動を順次に感知して多段入力が遂行されることができる。
【００１５】
上記入力手段は、上記基準位置を中心として入力半径内で入力手段の全体が水平移動されることができる。
【００１６】
上記入力手段は、上記基準位置から上記各放射方向に傾けることが可能なポインティングデバイスで設けられることができる。
【００１７】
ここで、上記ポインティングデバイスは、上下に昇降可能であり、文字入力時、文字手段を上昇させた後、上記方向移動入力を遂行するように設けられることができる。
【００１８】
上記入力手段の方向移動入力は、トラックポイント感知方式により感知されることができる。
【００１９】
上記各移動入力感知部が位置した方向に上記入力手段の移動方向を案内するガイド部をさらに含むことができる。
【００２０】
上記ガイド部は、上記入力手段が上記基準位置から上記各放射方向に移動されることをガイドする複数の直線ガイドを含むことができる。
【００２１】
上記ガイド部は、上記入力手段の円周方向移動をガイドする円形ガイドをさらに含むことができる。
【００２２】
上記ガイド部は、上記入力手段の下部に上記基準位置を中心として回転可能に設けられた回転板と、上記回転板に上記基準位置から上記各移動入力感知部に向かう直線溝で設けられた複数の直線ガイドを含み、上記入力手段が上記直線ガイドに沿って放射方向に移動した後、上記直線ガイドの端部で上記入力手段と上記回転板が同時に回転し、上記入力手段の円周移動をガイドする回転ガイドで設けられることができる。
【００２３】
上記各直線ガイドは、上記入力手段の下部の一側が移動可能に受容される溝形状で設けられ、かつ上記各基準位置側の端部は上記基準位置に向かって下り傾斜をなすように設けられることができる。
【００２４】
上記ガイド部は弾性材質で設けられることが好ましい。
【００２５】
上記ガイド部は、上記入力手段の方向移動時、クリック感を発生させるクリック手段をさらに含むことができる。
【００２６】
上記入力手段と上記円形ガイドとの間に設けられて、上記方向移動入力が多段で遂行される場合、上記各方向移動入力に対して互いに異なる抵抗力を提供する１つ以上の弾性部材をさらに含むことができる。
【００２７】
上記入力手段は１段及び２段方向移動入力可能に設けられて、上記弾性部材は、相対的に低い弾性係数を有し上記入力手段に隣接して設けられる第１弾性部材と、相対的に高い弾性係数を有し上記円形ガイドに隣接するように設けられる第２弾性部材とを含むことができる。
【００２８】
上記入力手段が上記円周方向に移動した後、基準位置に戻りながら複数個の移動入力感知部に感知されると、上記制御部は上記複数の感知結果のうち、最終の感知結果に対応する入力命令を遂行するようにすることができる。
【００２９】
上記入力手段は、弾性材質で設けられることができる。
【００３０】
上記入力手段の上部面には摺動防止部が設けられることができる。
【００３１】
上記基準位置には上記入力手段が上記基準位置に位置していることを感知する基準位置感知部をさらに含むことができる。
【００３２】
上記方向押圧入力は、上記入力手段が放射方向に向けて傾きながら入力されることができる。
【００３３】
上記方向押圧入力は、上記入力手段の上部に上記各放射方向に対応して設けられた押圧部を選択することにより入力されることができる。
【００３４】
上記入力手段がポインティングデバイスで設けられる場合、上記押圧部は上記ポインティングデバイスの側面に外周面に沿って各放射方向に対応して設けられることができる。
【００３５】
上記方向移動入力によっては子音文字が、上記方向押圧入力によっては母音文字が入力されるようにすることができる。
【００３６】
上記方向押圧入力は８個の入力方向を有し、上記方向押圧入力にはアルファベットの‘Ａ’、‘Ｉ’、‘Ｅ’、‘Ｏ’、‘Ｕ’と、‘Ｗ’、‘Ｙ’のうちの１つ以上が割り当てられることができる。
【００３７】
上記制御部は、ハングル入力時、上記方向移動入力と上記方向押圧入力が所定の時間内に入力される場合、子音入力を先に入力するようにすることができる。
【００３８】
上記入力手段に中央入力が可能であることが好ましい。
【００３９】
上記中央入力は、上記入力手段の中央部に設けられて、上下移動可能に設けられた中央入力キーと、上記中央入力キーの移動を感知する中央入力キー感知部により遂行されることができる。
【００４０】
また、上記中央入力は、上記入力手段の全体が上下に移動され、ポンピング入力が遂行され、上記ポンピング入力を感知するポンピング入力感知部により遂行されることができる。
【００４１】
上記中央入力は多段入力が可能であることができる。
【００４２】
上記中央入力により文字が入力されることができる。
【００４３】
上記方向押圧入力は８個の入力方向を有し、ハングル母音の
2009516260.tif 000003
は上記中央入力に割り当てられ、残りのハングル母音は上記方向押圧入力に割り当てられることができる。
【００４４】
上記中央入力により入力モード切換が遂行されることができる。
【００４５】
上記中央入力と、上記方向移動入力または上記方向押圧入力のうちのどれか１つが同時に遂行される場合、各方向移動入力または方向押圧入力に割り当てられた文字の変換、モード切換、または独立された入力命令のうちのどれか１つが遂行されることができる。
【００４６】
上記方向押圧入力は４個の入力方向を有し、アルファベット文字入力時、上記各入力方向には‘Ａ’、‘Ｅ、Ｉ’、‘Ｗ、Ｙ’、‘Ｏ、Ｕ’の１つまたは２つの文字が、ハングル文字入力時、上記各入力方向には
2009516260.tif 000004
の２つの文字が割り当てられ、上記中央入力と共に上記方向押圧入力が遂行される場合、どれか１つの文字から他の文字に変換されて入力されることができる。
【００４７】
上記多段方向移動入力のうちのどれか１つ、上記方向押圧入力または上記中央入力のうちのどれか１つにより、数字または記号のうちのどれか１つの入力セットが入力されるようにすることができる。
【００４８】
上記入力手段、移動入力感知部、押圧入力感知部、及び制御部が受容されるケースをさらに含み、上記ケースには上記入力手段により入力される文字モード（記号、数字、狭義の文字）を切換させる１つ以上の切換キーがさらに設けられることができる。
【００４９】
上記ケースには、データ入力時、エンター、取消、カーソル移動、スペース、シフト、コントロール、または文字の組合せのうち、どれか１つの機能を遂行する１つ以上のファンクションキーがさらに設けられることができる。
【００５０】
上記制御部により抽出された文字が表示されるディスプレイ部をさらに含むことができる。
【００５１】
上記ディスプレイ部を通じて使用者の入力動作に従う入力内容、または選択された文字モードが表示される入力ウィンドウを表示することができる。
【００５２】
上記入力手段はマウス機能を遂行することができる。
【００５３】
上記入力手段はゲームモードでのジョイスチックの機能を遂行することができる。
【００５４】
上記移動入力感知部または上記押圧入力感知部は、上記入力手段の入力半径全体に分布されることができる。
【００５５】
上記入力手段の外側に、入力状態によって、スクロール、ボリューム調節、または検索機能を遂行する回転ホイールがさらに備えられることができる。
【００５６】
上記入力手段は、方向移動及び方向押圧入力可能に突出されることができる。
【００５７】
上記入力手段の側面に多数の押圧スイッチが形成されることができる。
【００５８】
上記入力手段は、自体が回転可能に設けられることができる。
【００５９】
上記入力手段は、相互同一または異なる文字配置を有する２つの入力部から構成されることができる。
【００６０】
一方、上記の目的は、本発明に従い、基準位置を中心として各放射方向に移動しながら遂行される方向移動入力、及び上記各放射方向に向けて傾きながら遂行される方向押圧入力可能に設けられた入力手段と、上記方向移動入力を感知する移動入力感知部と、上記方向押圧入力を感知する押圧入力感知部と、上記移動入力感知部及び押圧入力感知部の感知結果に基づいて、各放射方向に割り当てられた文字をメモリ部から抽出して入力する制御部と、を含む文字入力装置によっても達成されることができる。
【００６１】
また、上記の目的は、本発明に従い、基準位置を中心として各放射方向に移動しながら方向移動入力がなされる入力手段と、上記入力手段の上部に各放射方向に対応して設けられて方向押圧入力が遂行される押圧部と、上記方向移動入力を感知する移動入力感知部と、上記方向押圧入力を感知する押圧入力感知部と、上記移動入力感知部及び押圧入力感知部の感知結果に基づいて、各放射方向に割り当てられた文字をメモリ部から抽出して入力する制御部と、を含む文字入力装置によっても達成されることができる。
【００６２】
好ましくは、上記入力手段の中央部に設けられて上下移動可能に設けられた中央入力キーと、上記中央入力キーの移動を感知する中央入力キー感知部をさらに含んで中央入力可能に設けられることができる。
【００６３】
好ましくは、上記方向移動入力は、上記入力手段が上記基準位置を中心として円周方向にも移動しながら遂行されることができる。
【００６４】
好ましくは、上記移動入力感知部は、上記基準位置から上記各放射方向に沿って複数個で設けられて、上記入力手段の移動を順次に感知して多段入力が遂行されることができる。
【００６５】
好ましくは、上記入力手段が装着されるケースをさらに含み、上記入力手段は上記ケースの左右に２つで設けられることができる。
【００６６】
好ましくは、上記方向移動入力によっては子音文字が、上記方向押圧入力によっては母音文字が入力されることができる。
【００６７】
好ましくは、上記入力手段は、ディスプレイ部と脱着可能である。
【００６８】
好ましくは、上記移動入力感知部は、円形ガイド側面に設置されることができる。
【発明の効果】
【００６９】
本発明に係る文字入力装置によると、文字入力に必要な空間を最小化しながらも使用者の意図によって各文字を正確に入力できる新たな形態の文字入力装置が提供される。
【００７０】
また、方向移動入力と方向押圧入力を組合せて１回の連続動作により２つ以上の音素を入力できるので、迅速な文字入力が可能である。
【００７１】
また、入力空間が最小化できるので、製品を小型化、スリム化することができるので、ＰＤＡ、ノートブック、携帯用移動通信端末機など、各種携帯電子機器への適用が可能である。
【発明を実施するための最良の形態】
【００７２】
以下、添付した図面を参照しつつ本発明に係る実施形態をより詳細に説明する。
【００７３】
説明する前に、本明細書で別途に定義していない全ての技術用語と科学的な関連用語は、本発明が属する技術分野で通用される通常的な意味を表す。しかしながら、下記の用語は本発明の範囲を明確にするために次の通り定義する。
【００７４】
（用語の定義）
１）本明細書で“方向移動入力（Ｍ、図３参照）”とは、本発明の文字入力装置１に備えられた入力手段１０の全体を同一平面上で任意方向に位置移動（水平またはスライディング移動）させたり（図４乃至図６参照）、または任意角度または方向に傾ける等（図１９乃至図２２参照）、入力手段１０を移動させて使用者が意図した文字、数字、または記号などを入力することとする。
【００７５】
しかしながら、入力手段１０の動作形態は、前述した形態に限定されず、その他にも入力手段１０を弾性（流動性）がある素材で製作し、入力手段１０の微小な流動を感知できる感知手段を設けることができる。
【００７６】
上記の場合、入力手段１０に水平または垂直方向に力を加えたとき、入力手段１０の全体的な位置は移動されなくても制御部には入力手段１０が移動して入力されるような効果を伝達することができる。
【００７７】
または、具体化した入力手段１０を設ける代わりに、指の移動または流動を感知して感知信号のみを具備して方向移動入力を遂行することもできる。
【００７８】
したがって、本明細書の“方向移動入力（Ｍ）”とは、入力手段１０の動作及び形態に限定されず、入力手段１０を水平方向または水平に近い横方向に押す（または、力を加える）行為を含んで、結果的に上記文字入力装置の制御部に入力手段１０が移動入力された結果をもたらす全ての動作を含むこととする。
【００７９】
２）本明細書において、“方向押圧入力（Ｐ）”とは、入力手段１０の全体、または入力手段１０の一部が任意の角度または方向に傾いたり（図２４参照）、入力手段１０の上部に各方向に対応して設けられた押圧部１５（図４乃至図６参照）が選択することによって、使用者が意図した文字、数字、または記号を入力することとする。
【００８０】
３）本明細書において、“中央入力（Ｃ）”とは、入力手段１０の一側に設けられた中央入力キー３０（図４参照）の選択、または入力手段１０全体が上下に昇降（図２４の（ｄ）参照）しながら遂行されるポンピング入力を含むこととする。
【００８１】
ここで、上記中央入力キー３０を通じた入力及びポンピング入力は、どれか１つだけ設けられることができ、同時に設けられることもできる。
【００８２】
４）本明細書において、“母音”とは、外国語の場合、発音がハングル母音に該当したり、言語学上の分流基準によって同外国語のアルファベットを２種に分けた時、相対的に個数が少ないアルファベット集団に属することとする。
【００８３】
本明細書において、添付した図面中、図３には方向押圧入力（Ｐ）により入力できる韓国語、英語、日本語の母音の例が図示されている。
【００８４】
５）一方、本明細書において、“文字”とは、ハングル文字、英文字、または日本語文字など、各国の言語に従う狭義の文字を意味する以外に、数字、記号などを含むこととする。
【００８５】
以下、添付図面を参照しつつ本発明の多様な実施形態を詳細に説明する。
【００８６】
図１は本発明に係る文字入力装置１が含まれた携帯用移動通信端末機１００の斜視図であり、図４乃至図６は本発明の第１実施形態に係る入力手段１０の分解斜視図である。
【００８７】
図面を参照すると、本発明に係る文字入力装置１は、方向移動入力（Ｍ１、Ｍ２；図２参照）及び方向押圧入力（Ｐ）可能に設けられた入力手段１０と、方向移動入力（Ｍ）を感知する移動入力感知部５１と、方向押圧入力（Ｐ）を感知する押圧入力感知部５３と、移動入力感知部５１及び押圧入力感知部５３の感知結果に基づいて、これに対応する入力命令をメモリ部（図示せず）から抽出して実行する制御部（図示せず）とを含む。
【００８８】
本発明の文字入力装置１は、図１に示すように、携帯用移動通信端末機１００に一体で設けられることができ、図２７に示すように、着脱式で設けられることもできる。また、本発明の文字入力装置１は、携帯用移動通信端末機１００の他にもＰＤＡやノートブック、ゲーム機など、多様な種類の電子機器にも制限無しで適用できることは勿論である。
【００８９】
図２は本発明に係る文字入力装置の作動を概略的に示す概念図であり、図３は図２に示す各放射方向に配置された文字例を示す図表である。
【００９０】
図２を参照すると、本発明に係る文字入力装置１は、基準位置（Ｓ；図４参照）を中心として入力手段１０が放射方向に移動しながら入力される方向移動入力（Ｍ）と、入力手段１０上で各放射方向に向けて入力される方向押圧入力（Ｐ）とを含む。
【００９１】
ここで、入力手段１０自体で遂行される中央入力（Ｃ）をさらに含むことができる。
【００９２】
上記放射方向は、８方向（図４参照）、４方向（図５参照）、または、１２方向であることができる（図６参照）。
【００９３】
上記放射方向の数をあまりに多くする場合には、各放射方向の間の間隔が減ることになるので、正確な方向選択が困難であり、反対に、放射方向があまりに少ない場合には、各方向に割り当てられる文字の数が減ることになる短所がある。
【００９４】
一方、図２６に示すように、入力手段１０を左右２対で設ける場合には、文字が２つの入力手段１０に分配されるので、相対的に少ない数の放射方向に設けられることができる。
【００９５】
また、方向移動入力（Ｍ）と方向押圧入力（Ｐ）が有する各放射方向の数は互いに同一であることができ、または、異なっていることもできる。
【００９６】
一方、方向移動入力（Ｍ）及び中央入力（Ｃ）は２段以上の多段入力が可能である。
【００９７】
図３は、８個の放射方向を有する文字入力装置１において、各国の文字及び数字の配置例を示すものである。
【００９８】
ここで、Ｍ１は１段方向移動入力（Ｍ）を、Ｍ２は２段方向移動入力（Ｍ）を、Ｐは方向押圧入力（Ｐ）を、Ｃ１は１段中央入力（Ｃ）を、Ｃ２は２段中央入力（Ｃ）を意味し、下添字は、便宜上、各放射方向を時計方向に順序を付けたものである。
【００９９】
図面を参照すると、各方向移動入力（Ｍ１、Ｍ２）には子音文字が配置されており、方向押圧入力（Ｐ）には母音文字が配置されたことが分かる。これは、方向移動入力（Ｍ）の場合、多段入力により相対的に多くの数の文字配置が可能であるためである。
【０１００】
しかしながら、本発明の適用がこれに限定されるものではなく、方向移動入力（Ｍ）に母音文字が配置され、方向押圧入力（Ｐ）に子音文字が配置されることもでき、方向移動入力（Ｍ）及び方向押圧入力（Ｐ）に子音及び母音文字が入り混じって配置されることもできる。
【０１０１】
一方、方向移動入力（Ｍ）が多段で遂行されるべきか否かは、割り当てられた各国文字の種類によって変わることができる。
【０１０２】
例えば、ハングルの場合には、子音と母音を含んで全２４個の文字が割り当てられなければならないので、８個の放射方向を有する入力手段１０の場合、１段方向移動入力（８個）、２段方向移動入力（８個）、方向押圧入力（８個）が必要である。
【０１０３】
しかしながら、英文の場合には、全２６個の文字があるので、１段及び２段方向移動入力（各８個）と方向押圧入力（８個）に加えて中央入力（２つ）がさらに必要とされる。
【０１０４】
一方、日本語文字の場合には、図３に示すように、２段方向移動入力（Ｍ２）がなくても全ての文字を配置することができる。
【０１０５】
一方、前述した多段方向移動入力（Ｍ１、Ｍ２）のうちのどれか１つ、または方向押圧入力（Ｐ）のうちのどれか１つには、数字または記号のうちのどれか１つの文字セットが配置されるようにすることができる。
【０１０６】
ここで、各放射方向の文字配置は、図示された例に限定されず、各国文字の活用特性によって多様に変更されて配置できることが勿論である。
【０１０７】
図４乃至図６には、本発明の方向移動入力（Ｍ）を遂行するための入力手段１０の多様な実施形態が図示されている。
【０１０８】
まず、本発明の第１実施形態に係る入力手段１０は、基準位置（Ｓ）を中心として所定の入力半径内で入力手段１０の全体が水平移動（または、スライディング）可能に設けられる。
【０１０９】
入力手段１０は、板形状で設けられる限り、多様に設けられることができる。例えば、図４に示すように、円形板形状で設けられることもでき、多角形の板形状で設けられることもできる。
【０１１０】
一方、入力手段１０は多様な材質で設けられることができ、例えば弾性材質で設けられることもできる。
【０１１１】
したがって、本発明の第１実施形態に係る文字入力装置１は、入力手段１０が板面方向には移動されず、各移動入力感知部５１と近いながらも一定の距離が維持できるので、文字入力装置１をスリム化、小型化できるという長所がある。
【０１１２】
一方、入力手段１０の上部面には８方向の放射方向への方向押圧入力（Ｐ）を遂行することができる押圧部１５が設けられている。
【０１１３】
各押圧部１５には各放射方向に対応して割り当てられた文字が表示される。
【０１１４】
ここで、各押圧部１５に２つ以上の文字が重複されている場合は、ケース１１０の一側に設けられた切換キー１２３（図１参照）、またはファンクションキー１２１を選択して切換したり、中央入力キー３０との組合せにより、ある１つから他の１つに切換して入力することができる。
【０１１５】
ファンクションキー１２１は、この他にも複数個で設けられて、エンター、取消、カーソル移動、スペース、シフト、コントロール、文字の組合せ、または文字変換のうち、どれか１つの機能を遂行することができる。
【０１１６】
押圧部１５の下部には押圧部１５の選択を感知する押圧入力感知部５３が設けられる。押圧入力感知部５３は、押圧部１５の種類によって多様に設けられることができ、例えば、押圧部１５の接触を感知する各種スイッチ及び接触端子、接触センサー、圧力センサー、押圧部１５の移動を感知する光センサーなどで設けられることができる。
【０１１７】
一方、入力手段１０の中央部には中央入力キー３０が設けられて中央入力（Ｃ）が遂行される。
【０１１８】
ここで、中央入力キー３０は、押圧部１５の選択または入力手段１０の移動時、任意的に選択されないように、使用者が意図的に力を加える時のみに入力が遂行されるように適した反動を有するようにすることが好ましい。
【０１１９】
中央入力（Ｃ）は、割り当てられた文字を入力したり、別途の設定された機能（エンター、スペース、取消、コンマ、または電話通話時の通話終了等）を遂行したり、または方向移動入力（Ｍ）及び方向押圧入力（Ｐ）と組合わせて使われる。
【０１２０】
例えば、ハングル入力の場合、中央入力キー３０に割り当てられた文字のうち、
2009516260.tif 000005
は中央入力キー３０を選択することにより遂行され、
2009516260.tif 000006
はポンピング入力（図２４の（ｄ）参照）により入力され、中央入力キー３０と押圧部１５とを同時に押さえると、ハングルから英文に、または英文からハングルに切換されて入力される。
【０１２１】
中央入力（Ｃ）と他の入力との組合せをより詳細に説明すると、例えば、図５において、ハングル文字入力時、各押圧部１５に
2009516260.tif 000007
が配置される場合、中央入力（Ｃ）と共に各押圧部１５が選択されると、
2009516260.tif 000008
から
2009516260.tif 000009
に、またはその反対に切換される。
【０１２２】
同様に、英文字の入力時、各押圧部１５に‘Ａ’、‘Ｅ、Ｉ’、‘Ｗ、Ｙ’、‘Ｏ、Ｕ’が配置される場合、中央入力（Ｃ）と共に各押圧部１５が選択されると‘Ｅ’から‘Ｉ’に、またはその反対に切換される。
【０１２３】
以上、中央入力（Ｃ）の主な活用例を整理すると、中央入力単独では中央入力キー３０またはポンピング入力に、（１）所定の文字が割り当てられて入力、または（２）各種入力モードに切換できる入力モード選択ウィンドウ、または所定の入力モードに切換機能遂行、または（３）エンター、スペース、取消、シフト、コントロールのうち、少なくともどれか１つが入力、または（４）携帯用移動通信端末機１００で通話モードの場合には、通話または終了キーの機能を遂行することができ、方向移動入力または方向押圧入力のうち、どれか１つと中央入力キー３０またはポンピング入力のうち、どれか１つが組み合わせられて同時（２つの入力信号が共に発生）に使われる場合、（１）各方向入力に本来の割り当てられた文字と他の文字が入力、（２）文字、Ｆキー入力（Ｆ１〜Ｆ１２）、映画チャンネル、音楽など、各種モードへの切換、（３）エンター、スペース、取消、カーソル移動など、各種機能入力の機能を遂行すること等である。
【０１２４】
入力手段１０の下部には入力手段１０をケース１１０に対して移動可能に支持する支持部１１が設けられる。
【０１２５】
図４に示すように、支持部１１は、円柱形状で設けられることもでき、ボール形状で設けられることもできる。
【０１２６】
ケース１１０には入力手段１０が所定の放射方向に正確に移動できるように、支持部１１を案内するガイド部２０が設けられることができる。
【０１２７】
ガイド部２０は、例えば、図３ａに示すように、８方向に対して入力手段１０の移動経路をガイドする８個の直線ガイド２１で設けられることができる。
【０１２８】
図５は、４個の放射方向を有する入力手段１０及びガイド部２０が図示されている。
【０１２９】
一方、基準位置（Ｓ）には入力手段１０が、より詳しくは、支持部１１が基準位置（Ｓ）に位置したことを感知する基準位置感知部５５が設けられることができる。
【０１３０】
基準位置感知部５５は、支持部１１が基準位置（Ｓ）を離脱したり、または基準位置（Ｓ）に戻ることを感知して、制御部がその間に発生した感知信号中から有効な信号を選択できるようにする。
【０１３１】
一方、基準位置感知部５５で感知された信号は、信号処理のためのリセット（Reset）信号として使われることができる。
【０１３２】
図６には１２つの方向移動入力（Ｍ）が可能な入力手段１０が図示されている。
【０１３３】
入力手段１０は、直線ガイド２１の間の空間を通じて各放射方向に案内される。
【０１３４】
一方、直線ガイド２１の端部には入力手段１０が放射方向は勿論、円周方向にも移動可能に入力手段１０をガイドする円形ガイド２３が設けられている。
【０１３５】
したがって、‘子音＋母音＋子音’の形態で入力する時には放射方向に移動する方向移動入力（Ｍ）と同時に方向押圧入力（Ｐ）を遂行し、次いで円周方向に移動して、再度方向移動入力（Ｍ）を遂行することができる。
【０１３６】
一方、子音＋子音’形態の入力時には該当子音が配置された放射方向に方向移動入力（Ｍ）を２回遂行することもできるが、第１の方向移動入力（Ｍ）の後、円周方向に移動して基準位置（Ｓ）へ戻りながら第２の方向移動入力（Ｍ）を遂行することもできる。
【０１３７】
図７及び図８には水平移動により方向移動入力（Ｍ）が遂行され、上段部の傾けにより方向押圧入力（Ｐ）が遂行される入力手段１０が図示されている。
【０１３８】
図面を参照すると、ケース１１０と入力手段１０との間には支持部１１が設けられ、入力手段１０の側部とケース１１０との間には弾性部材４０が設けられる。
【０１３９】
図８に示すように、弾性部材４０は、方向移動入力（Ｍ）のために入力手段１０が基準位置（Ｓ）を離脱する場合、基準位置（Ｓ）に向かう弾性力を入力手段に加える。
【０１４０】
一方、図８の（ｃ）には入力手段１０が所定の放射方向に傾きながら方向移動入力（Ｍ）が遂行される状態が図示されている。
【０１４１】
図９は、図６の直線ガイド２１及び円形ガイド２３を示す平面図である。
【０１４２】
図面を参照すると、移動入力感知部５１ａは各放射方向毎に直線ガイド２１の間に設けられて、支持部１１が所定の放射方向を通過する場合、これを感知して制御部に感知信号を伝送する。
【０１４３】
制御部はどの移動入力感知部５１ａで支持部１１の移動が感知されたかを判別して、これに対応する文字データをメモリ部から抽出して入力する。
【０１４４】
一方、入力手段１０が放射方向は勿論、円周方向にも移動が可能な場合には、一回の方向移動入力（Ｍ）により多数の感知信号が発生することができる。
【０１４５】
この際、制御部は上記多数の感知信号の中で、設定された条件によって有効などれか１つの信号を選択することができる。
【０１４６】
例えば、図９において、入力手段１０が基準位置（Ｓ）から出発してａ→ｂ→ｃ→ｄ→ｅ→ｆ経路に沿って移動入力感知部５１ａに順次に感知された後、基準位置（Ｓ）に戻る場合は、制御部は前述したように、入力手段１０が基準位置（Ｓ）に戻って発生した基準信号の直前の感知結果、即ち、最終の感知結果のみを有効な信号と判断して入力することができる。
【０１４７】
ここで、移動入力感知部５１ａは、円形ガイド２３のみに設けられることもできる。この場合、移動入力感知部５１ａは、入力手段１０の円周移動距離を感知して方向移動入力（Ｍ）が遂行されるようにする。
【０１４８】
即ち、入力手段１０が円形ガイド２３に接触された後、入力手段１０の回転角度に対応して文字などが入力処理されるようにすることもでき、入力手段１０が円形ガイド２３に沿って移動しながら多数個の移動入力感知部５１により感知される時、最後の感知信号に対応する文字などが入力されるようにすることもできる。
【０１４９】
ここで、ガイド部２０は弾性部材４０で設けられることができる。
【０１５０】
上記移動入力感知部は、上記円形ガイドの側面に設置されることができる。移動入力感知部が入力手段の下段に位置する場合は、通常的に上記入力手段の下部に位置されているＰＣＢの上段に上記移動入力感知部が形成され、これはそれだけＰＣＢの空間を使用することになる。移動入力感知部が円形ガイドの側面に設置されると、ＰＣＢの面積をより広く活用することができる。
【０１５１】
図１０を参照すると、直線ガイド２１または円形ガイド２３のうちの１つ以上には、方向移動入力（Ｍ）時にクリック感を発生させるクリック手段４３が設けられることができる。
【０１５２】
クリック手段４３は多様な種類で設けられることができ、例えば直線ガイド２１の表面から（４３ａ）、または円形ガイド２３の表面から（４３ｂ）支持部１１の移動経路に向かって突出されて支持部１１通過時にことことするクリック感を発生させることができ、支持部１１の移動が感知される場合、これをスピーカ１４０（図２８及び図２９）を通じて聴覚的に感じられるように設けられることもできる。
【０１５３】
一方、方向移動入力（Ｍ）が多段入力可能に設けられる場合は、移動入力感知部５１ｂは、基準位置（Ｓ）から上記各放射方向に沿って複数個で設けられて、入力手段１０の移動を順次に感知するように設けられることができる。
【０１５４】
例えば、２段の方向移動入力（Ｍ１、Ｍ２）が遂行される場合、図１０に示すように、移動入力感知部５１ｂは２つに設けられ、制御部は基準位置（Ｓ）側の移動入力感知部５１ｂのみで入力手段１０が感知される場合、これを１段入力に、２つともで入力手段１０が感知されると、これを２段入力にすることができる。
【０１５５】
ここで、本明細書に開示された各実施形態において、移動入力感知部５１は多様な種類で設けられることができ、例えばボールマウス方式、光マウス方式、光センサーまたは超音波センサーなどで設けられることができる。
【０１５６】
図１１は、直線ガイド２１の基準位置（Ｓ）側の端部に傾斜部２２が設けられていることを示す図である。
【０１５７】
傾斜部２２は、各直線ガイド２１に基準位置（Ｓ）に向かって下り傾斜して設けられる。
【０１５８】
傾斜部２２は、支持部１１が基準位置（Ｓ）から離脱して所定の放射方向に進入する時、支持部１１が希望する放射方向に正確に進入するようにガイドする機能を遂行する。一方、傾斜部２２は支持部１１が基準位置（Ｓ）に戻る場合には、基準位置（Ｓ）の近辺に支持部１１が接近すると、別途の力を加えなくても支持部１１が自然に基準位置（Ｓ）に位置するようにし、入力手段１０が基準位置（Ｓ）で正確に維持しているようにする。
【０１５９】
図１２乃至図１４は、本発明に係る入力手段に含まれた弾性部材４０及び支持リング４１を示す平面図及び断面図である。
【０１６０】
入力手段１０の移動距離によって方向移動入力（Ｍ）を多段で遂行する場合に、１段入力（Ｍ１）と２段入力（Ｍ２）の移動距離を正確に区分することは容易でない。
【０１６１】
したがって、図１２に示すように、入力手段１０とケース１１０との間に所定の弾性係数を有する弾性部材４０を設けて、入力手段１０が１段方向移動入力（Ｍ１）を遂行するための移動距離を超過する場合には、入力手段１０に抵抗力を加えることにより、使用者が１段方向移動入力（Ｍ１）と２段方向移動入力（Ｍ２）とを区分できるようにする。
【０１６２】
図１２に示すように、弾性部材４０は、ケース１１０側のみに設けられることもでき、図１３及び図１４に示すように、互いに異なる弾性係数を有する２つで設けられることができる。
【０１６３】
この場合、入力手段１０に隣接した第１弾性部材４０ａは、ケース１１０に隣接した第２弾性部材４０ｂより相対的に低い弾性係数を有するようにすることが好ましい。
【０１６４】
これによって、１段の方向移動入力（Ｍ１）時、第１弾性部材４０ａが使用者の加圧により変形しても第２弾性部材４０ｂは変形が生じないようにすることができる。
【０１６５】
ここで、第１弾性副題４０ａと第２弾性部材４０ｂとの間に支持リング４１をさらに設けることができる。
【０１６６】
支持リング４１は、使用者により押圧されて変形される第１弾性部材４０ａの押圧力が、これと接触された第２弾性部材４０ｂの一部分に集中されることを防止して、第２弾性部材４０ｂが変形されることを防止する。
【０１６７】
併せて、弾性部材４０ａ、４０ｂ同士が直接接触して摩耗が発生することを防止することができる。
【０１６８】
一方、前述した弾性部材４０は、方向移動入力（Ｍ）が遂行された後、復原力により入力手段１０を基準位置（Ｓ）に復帰させる役割を遂行することができる。
【０１６９】
図１５及び図１６は、本発明に係る方向押圧入力（Ｐ）を遂行するための入力手段１０の多様な実施形態を示している。
【０１７０】
本発明に係る方向押圧入力（Ｐ）は、前述した押圧部１５を用いた方式の他にも図１５に示すように、入力手段１０自体を各放射方向に向けて傾けることにより遂行することができる。
【０１７１】
この際、押圧入力感知部５３ａ、５３ｂは、図１５の（ａ）に示すように、入力手段１０の内部に各放射方向に対応して設けられて、入力手段１０がどの一方向に傾く場合、感知手段に加えられる引張力または圧縮力を感知する。
【０１７２】
例えば、方向押圧入力（Ｐ）が遂行された個所の押圧入力感知部５３ａには引張力が感知され、その反対方向にある押圧入力感知部５３ｂには圧縮力が感知される。
【０１７３】
そして、制御部は各押圧入力感知部５３ａ、５３ｂで感知された引張力または圧縮力のうち、最も大きい変化を示す感知位置を選択して、この方向に割り当てられた文字を入力するようにすることができる。
【０１７４】
または、押圧入力感知部５３ｃ、５３ｄは、図１６に示すように、入力手段１０の隅部またはこれに対応するケース１１０に設けられて接触を感知することもできる。
【０１７５】
図１７及び図１８は、本発明の他の実施形態に係るガイド部２０の平面図及び作動図である。
【０１７６】
図面を参照すると、本発明の他の実施形態に係るガイド部２０は、入力手段１０の下部に基準位置（Ｓ）を中心として回転可能に設けられた回転板２６と、回転板２６に設けられて基準位置（Ｓ）から各移動入力感知部５１に向ける直線溝の形状を有する複数の直線ガイド２１を含む回転ガイド２５で設けられることができる。
【０１７７】
ここに、入力手段１０は、直線ガイド２１内では直線往復動を行い、入力手段１０の円周移動は回転板２６の回転により達成できる。
【０１７８】
したがって、図１８において、
2009516260.tif 000010
を入力しようとする場合は、入力手段１０を
2009516260.tif 000011
方向に傾けると共に（または、順次に）、
2009516260.tif 000012
に向けて１段方向移動入力（Ｍ１）を遂行した後、回転板２６と共に回転した後、
2009516260.tif 000013
に向けて２段方向移動入力（Ｍ２）を遂行すればよい。
【０１７９】
制御部は、ハングル入力の場合には、方向移動入力（Ｍ）と方向押圧入力（Ｐ）により各々子音と母音が入力される時、所定の時間内に各方向入力が感知される場合、常に子音が先に実行されるようにすることができる。
【０１８０】
したがって、この場合、入力手段１０を先に傾けて（即ち、方向押圧入力（Ｐ）を先に遂行し）、入力手段１０を移動しても（即ち、方向移動入力（Ｍ）を遂行しても）、
2009516260.tif 000014
でない
2009516260.tif 000015
が入力されるようにすることができる。
【０１８１】
しかしながら、ハングルを除外した英文字などの入力時には、前述した子音と母音の組合せが不要であるので、各方向入力が所定の時間内に感知されても各方向入力の感知順序によって入力が遂行されるようにすることができる。
【０１８２】
ここで、英文字入力の場合をより詳しく説明すると、先に‘母音’のみ入力しようとする時には、方向移動入力（Ｍ）無しで方向押圧入力（Ｐ）のみを遂行し、‘母音＋母音’の場合には、同様に入力手段１０上で方向押圧入力（Ｐ）のみ連続して遂行する。
【０１８３】
次に、‘母音＋子音’または‘子音＋母音’の場合には、前述したように、各入力動作を組合せせず、方向押圧入力（Ｐ）と方向移動入力（Ｍ）を順次に遂行すればよい。
【０１８４】
一方、図１７を参照すると、回転板２６の縁部に沿って各放射方向に対応して設けられたクリック突起４３ａと、ケース１１０に設けられて各放射方向に対応してクリック突起４３ａを受容及び解除するクリック溝４３ｂを設けることによって、回転板２６が入力手段１０に沿って回転する時、クリック感を発生させるようにすることができる。
【０１８５】
図１９は、本発明の第２実施形態に係る入力手段１０の断面図である。
【０１８６】
本発明の第２実施形態に係る入力手段１０は、入力手段１０がジョイスチックのような形状で設けられて、入力手段１０自体が各放射方向に傾きながら方向移動入力（Ｍ）を遂行する。
【０１８７】
この場合、入力手段１０は、３次元の空間上を移動しながら方向移動入力（Ｍ）が遂行されるので、ケース１１０から所定の高さだけ突出した状態にあることになる。
【０１８８】
一方、入力手段１０が前述したように、所定の高さに突出された状態を維持する場合には、文字入力装置１自体の体積が不要に大きくなることがあり、また、入力手段１０が外力により破損される危険性があるので、図１９に示すように、ケース１１０から昇降可能に設けられて、文字入力が遂行される場合のみに上部に突出させて使用することもできる。
【０１８９】
この場合、入力手段１０の上部に押圧部１５を設けたり、入力手段１０を傾けて方向押圧入力（Ｐ）を遂行することができることは勿論である（図１９の（ｂ）参照）。
【０１９０】
一方、本発明の第２実施形態に係る入力手段１０は、文字入力だけでなく、ゲーム機のような装置に装着して使用する場合、押圧部１５をボタンとするジョイスチックとして使用することができる。勿論、本実施形態のジョイスチック機能は、第１実施形態でも同一に使われることができる。
【０１９１】
図２０及び図２１は、本発明の第３実施形態に係る入力手段１０の斜視図である。
【０１９２】
図面を参照すると、本発明の第３実施形態に係る入力手段１０は、押圧部１５を入力手段１０の側部に設け、図面に示すように、入力手段１０を手で把持して方向移動入力（Ｍ、図２０の矢印）及び方向押圧入力（Ｐ、図２１の破線）を遂行することもできる。
【０１９３】
図２２は、本発明の第２及び第３実施形態に係る入力手段１０で方向移動入力（Ｍ）を感知する方法を説明するための断面図である。
【０１９４】
図面を参照すると、入力手段１０がジョイスチックのような形状で設けられる場合には、支持部１１の下部に各放射方向に対応して移動入力感知部５１ｃ、５１ｄを設け、方向移動入力（Ｍ）の際、各移動入力感知部５１ｃ、５１ｄで感知される圧力の変化から移動入力方向を判断するように設けられる。
【０１９５】
ここで、移動入力感知部５１ｃ、５１ｄは、図面に示すように、各放射方向のみに設けられることもでき、入力手段１０の入力半径の全領域に亘って分布される、いわゆるタッチパッド（Touch pad）またはトラックポイント（Track Point）方式により設けられることもできる。
【０１９６】
図２３は、本発明に係る入力手段１０の上段部に摺動防止部４５が形成されたことを示す斜視図である。
【０１９７】
摺動防止部４５は、入力手段１０と指との摩擦力を増加させて方向移動入力（Ｍ）が、指が入力手段１０に滑って正確な入力が妨害されることを防止する。摺動防止部４５は多様に設けられることができ、図面に示すように、凹凸で設けられることもでき、摩擦係数が大きい摩擦部材を入力手段１０の上段部に設けることもできる。
【０１９８】
図２４は、本発明の一実施形態に係る入力手段１０の斜視図及び作動図であって、本発明に係る方向押圧入力（Ｐ）及び中央入力（Ｃ）を説明するための図である。
【０１９９】
図面を参照すると、入力手段１０は、覆った容器形状で設けられることができ、入力手段１０の一側を傾けて方向押圧入力（Ｐ）を遂行し（ｂ、ｃ参照）、入力手段１０の全体を押さえてポンピング入力を遂行することもできる。
【０２００】
この場合、入力手段１０の中央部には中央入力期３０が設けられることができるが、中央入力キー３０とポンピング入力が同時に遂行される場合には、ポンピング入力のみを有効な入力と判断するようにすることができる。
【０２０１】
一方、前述した中央入力（Ｃ）は、２段以上の多段入力が可能であるように設けることができる。
【０２０２】
図２５は、本発明に係る入力手段１０の外側に回転ホイール６０が備えられたことを示す平面図である。
【０２０３】
回転ホイール６０は、円形の帯形状で設けられて、入力手段１０の外側に矢印方向に回転可能に設けられる。
【０２０４】
回転ホイール６０は、ＰＤＡや携帯用移動通信端末機１００で音楽またはメッセージなどを使用する時、ボリューム調節またはスクロールの機能を遂行するように設けられることができる。
【０２０５】
これとは別に、入力手段１０自体を回転可能に設けることにより、上記ボリューム調節またはスクロールの機能を遂行するようにすることができる。
【０２０６】
一方、本発明の第１実施形態に係る入力手段１０において、移動入力感知部５１または押圧入力感知部５３を所定の移動または押圧方向、移動または押圧経路のみでない入力半径全体に亘って感知できるように、いわゆるタッチパッド、光センサーマトリックスのような感知方式のように、入力半径の全体に分布することができる。第２実施形態も同様である。
【０２０７】
上記入力手段は、第１実施形態及び第２実施形態でマウスとして使われることができる。この場合、マウスポインタの位置は入力手段１０の移動により、マウスボタン操作は押圧部１５を選択したり、または入力手段１０を左右に傾けて遂行することができる。
【０２０８】
図２６は、本発明に係る入力手段１０を２つ設けて文字入力を遂行する態様を示す使用図である。
【０２０９】
本発明に係る文字入力装置１は、図面に示すように、入力手段１０を左右に２つ配置して効率的な文字入力を遂行することができる。
【０２１０】
即ち、左側の入力手段１０には子音を配置し、右側の入力手段１０には母音を配置して、指の操作を単純化して、より正確で、かつ速い文字入力がなされるようにすることができる。
【０２１１】
または、大部分の言語において、子音は１２字以上であるので、子音文字を左右に分割して配置する場合には、方向移動入力（Ｍ）を多段で遂行しなくてもよい。
【０２１２】
この場合、左右の入力手段１０は必要によって各々多様な数の放射方向を有するように設けられる。
【０２１３】
図２７は、本発明に係る文字入力装置１が機器本体に着脱可能に設けられることを示す分解斜視図である。したがって、本発明に係る文字入力装置１を汎用コネクタを介して多様な機器に着脱可能に連結して使用することができる。
【０２１４】
本発明の入力装置は、上記ディスプレイ部と互いに分離または結合可能に（着脱）構成されることができる。
【０２１５】
上記入力装置と上記ディスプレイ部とは、互いに結合または分離が可能であるように、結合時に接触部位に結合及び分離装置が（結合環及び分離ボタンが）備えられており 、上記ディスプレイ部は、上記入力装置と分離された時、底に垂直に立てることができるように、ディスプレイ部の裏面に支持台が備えられたり、（飛行機または自動車）座席の裏側に掛けることができるように環が備えられることができる。
【０２１６】
上記入力装置と上記ディスプレイ部との間の信号交流は有線または無線で、結合時には端子結合によりなされることができる。
【０２１７】
これによって、使用者は必要によって上記ディスプレイ部から上記入力装置を分離して、自動車、飛行機などで、前座席の裏側に上記ディスプレイ部を掛けて、上記入力装置を使用して、文書作業、インターネット利用、ゲームなどを楽しむことができる。
【０２１８】
図２８及び図２９は、ディスプレイ部１３０に本発明に係る入力ウィンドウ１３５の使用例を示す作動図である。
【０２１９】
図２８は図３に配置されたハングル文字が入力ウィンドウ１３５及びケース１１０に配置されたことを示すものであり、図２９は図３に配置された英語文字が入力ウィンドウ１３５及びケース１１０に配置されたことを示す図である。
【０２２０】
ここで、本発明に係る各国文字の配置が図３、図２８、及び図２９に限定されるものではなく、特性に合うように多様に変形できることは勿論である。
【０２２１】
入力ウィンドウ１３５は、ディスプレイ部１３０の一側に設けられ、入力手段１０とケース１１０に具現された文字などの配置が視覚的に表示される。
【０２２２】
ここに、使用者は入力ウィンドウ１３５を通じて入力手段１０の現在位置または入力内容などを直ちに知ることができる。
【０２２３】
一方、ケース１１０の一側には入力手段１０を通じて入力された各文字が制御部により音で表されるスピーカ１４０がさらに設けられることができる。
【０２２４】
一般に、字または単語は、子音＋母音、子音＋母音＋子音、母音＋子音、母音＋子音＋母音の順のように、子音と母音が交互に位置して構成される（例：run=r（子）u（母）n（子）、America=A（母）m（子）e（母）r（子）i（母）c（子）a（母））。本発明の入力手段は、方向移動入力と方向押圧入力を同時に遂行することができるので、方向移動に子音を配列し、方向押圧に母音を配列して、子音と母音、母音と子音を共にまたは順次に入力できるため、非常に迅速な入力が可能である。
【図面の簡単な説明】
【０２２５】
【図１】本発明に係る文字入力装置が含まれた携帯用端末機の斜視図である。
【図２】本発明に係る文字入力装置の作動を概略的に示す概念図である。
【図３】図２に示した各放射方向に配置された文字例を示す図表である。
【図４】本発明の第１実施形態に係る入力手段の分解斜視図であって、本発明の方向移動入力を説明するための図である。
【図５】本発明の第１実施形態に係る入力手段の分解斜視図であって、本発明の方向移動入力を説明するための図である。
【図６】本発明の第１実施形態に係る入力手段の分解斜視図であって、本発明の方向移動入力を説明するための図である。
【図７】本発明の他の実施形態に係る入力手段の断面図である。
【図８】図７に図示された入力手段において、方向移動入力と方向押圧入力が遂行されることを示す作動図である。
【図９】本発明に係る入力手段に含まれたガイド部を示す平面図及び要部斜視図である。
【図１０】本発明に係る入力手段に含まれたガイド部を示す平面図及び要部斜視図である。
【図１１】本発明に係る直線ガイドの基準位置側の拡大斜視図である。
【図１２】本発明に係る入力手段に含まれた弾性部材及び支持リングを示す平面図及び断面図である。
【図１３】本発明に係る入力手段に含まれた弾性部材及び支持リングを示す平面図及び断面図である。
【図１４】本発明に係る入力手段に含まれた弾性部材及び支持リングを示す平面図及び断面図である。
【図１５】本発明の多様な実施形態に係る入力手段の断面図であって、本発明の方向押圧入力を説明するための作動図である。
【図１６】本発明の多様な実施形態に係る入力手段の断面図であって、本発明の方向押圧入力を説明するための作動図である。
【図１７】本発明の他の実施形態に係るガイド部の平面図及び作動図である。
【図１８】本発明の他の実施形態に係るガイド部の平面図及び作動図である。
【図１９】本発明の第２実施形態に係る入力手段の断面図である。
【図２０】本発明の第３実施形態に係る入力手段の斜視図である。
【図２１】本発明の第３実施形態に係る入力手段の斜視図である。
【図２２】本発明の第２及び第３実施形態に係る入力手段において、方向移動入力を感知する方法を説明するための断面図である。
【図２３】本発明の一実施形態に係る入力手段の上段部に摺動防止部が形成されたことを示す斜視図である。
【図２４】本発明の一実施形態に係る入力手段の斜視図及び作動図であって、本発明に係る中央入力を説明するための図である。
【図２５】本発明に係る入力手段の外側に回転ホイールが備えられたことを示す平面図である。
【図２６】本発明に係る入力手段を２つ設けて文字入力を遂行する態様を示す使用図である。
【図２７】本発明に係る文字入力装置が機器本体に着脱可能に設けられることを示す分解斜視図である。
【図２８】本発明に係る文字入力装置にハングル文字が配列されたことを示す平面図である。
【図２９】本発明に係る文字入力装置に英語文字が配列されたことを示す平面図である。
【図１】
2009516260.tif 000018
【図２】
2009516260.tif 000019
【図３】
2009516260.tif 000020
【図４】
2009516260.tif 000021
【図５】
2009516260.tif 000022
【図６】
2009516260.tif 000023
【図７】
2009516260.tif 000024
【図８】
2009516260.tif 000025
【図９】
2009516260.tif 000026
【図１０】
2009516260.tif 000027
【図１１】
2009516260.tif 000028
【図１２】
2009516260.tif 000029
【図１３】
2009516260.tif 000030
【図１４】
2009516260.tif 000031
【図１５】
2009516260.tif 000032
【図１６】
2009516260.tif 000033
【図１７】
2009516260.tif 000034
【図１８】
2009516260.tif 000035
【図１９】
2009516260.tif 000036
【図２０】
2009516260.tif 000037
【図２１】
2009516260.tif 000038
【図２２】
2009516260.tif 000039
【図２３】
2009516260.tif 000040
【図２４】
2009516260.tif 000041
【図２５】
2009516260.tif 000042
【図２６】
2009516260.tif 000043
【図２７】
2009516260.tif 000044
【図２８】
2009516260.tif 000045
【図２９】
2009516260.tif 000046
【手続補正書】
【提出日】平成19年4月23日(2007.4.23)
【手続補正１】
【補正対象書類名】特許請求の範囲
【補正対象項目名】全文
【補正方法】変更
【補正の内容】
【特許請求の範囲】
【請求項１】
方向移動入力及び方向押圧入力可能に設けられた入力手段と、
前記方向移動入力を感知する移動入力感知部と、
前記方向押圧入力を感知する押圧入力感知部と、
前記移動入力感知部及び押圧入力感知部の感知結果に基づいて、これに対応する文字をメモリ部から抽出して実行する制御部と、
を含むことを特徴とする文字入力装置。
【請求項２】
前記方向移動入力は、前記入力手段が基準位置を中心として放射方向に移動され、遂行されることを特徴とする請求項１に記載の文字入力装置。
【請求項３】
前記方向移動入力は、前記入力手段が前記基準位置を中心として円周方向にも移動され、遂行されることを特徴とする請求項２に記載の文字入力装置。
【請求項４】
前記方向移動入力は多段入力が可能であることを特徴とする請求項２に記載の文字入力装置。
【請求項５】
前記移動入力感知部は、前記基準位置から前記各放射方向に沿って複数個で設けられて、前記入力手段の移動を順次に感知して多段入力が遂行されることを特徴とする請求項４に記載の文字入力装置。
【請求項６】
前記方向移動入力は、前記入力手段がスライディングされながら遂行されることを特徴とする請求項２乃至５のうち、いずれか１項に記載の文字入力装置。
【請求項７】
前記方向移動入力は、前記入力手段が傾きながら遂行されることを特徴とする請求項２乃至５うち、いずれか１項に記載の文字入力装置。
【請求項８】
前記入力手段は上下に昇降可能で、入力手段を上昇させた後、前記方向移動入力及び方向押圧入力を遂行するように設けられることを特徴とする請求項７に記載の文字入力装置。
【請求項９】
前記入力手段の方向移動入力は、トラックポイント感知方式により感知されることを特徴とする請求項２乃至５のうち、いずれか１項に記載の文字入力装置。
【請求項１０】
前記各移動入力感知部が位置した方向に前記入力手段の移動方向を案内するガイド部をさらに含むことを特徴とする請求項２乃至５のうち、いずれか１項に記載の文字入力装置。
【請求項１１】
前記ガイド部は、前記入力手段が前記基準位置から前記各放射方向に移動されることをガイドする複数の直線ガイドを含むことを特徴とする請求項１０に記載の文字入力装置。
【請求項１２】
前記ガイド部は、前記入力手段の移動をガイドする円形ガイドをさらに含むことを特徴とする請求項１０に記載の文字入力装置。
【請求項１３】
前記各直線ガイドは、前記入力手段が移動可能に受容される溝形状で設けられ、かつ前記各基準位置側の端部は前記基準位置に向かって下り傾斜をなすことを特徴とする請求項１１に記載の文字入力装置。
【請求項１４】
前記ガイド部は弾性材質で設けられることを特徴とする請求項１０に記載の文字入力装置。
【請求項１５】
前記ガイド部は、前記入力手段の方向移動時、クリック感を発生させるクリック手段をさらに含むことを特徴とする請求項１０に記載の文字入力装置。
【請求項１６】
前記入力手段と前記円形ガイドとの間に設けられて、前記方向移動入力が多段で遂行される場合、前記各方向移動入力に対して互いに異なる抵抗力を提供する１つ以上の弾性部材をさらに含むことを特徴とする請求項１２に記載の文字入力装置。
【請求項１７】
前記入力手段は、１段及び２段方向移動入力可能に設けられて、前記弾性部材は相対的に低い弾性係数を有し、前記入力手段に隣接して設けられる第１弾性部材と、相対的に高い弾性係数を有し、前記円形ガイドに隣接するように設けられる第２弾性部材とを含むことを特徴とする請求項１６に記載の文字入力装置。
【請求項１８】
前記入力手段が前記円周方向に移動した後、基準位置に戻りながら複数個の移動入力感知部に感知されると、前記制御部は前記複数の感知結果のうち、最終の感知結果に対応する入力命令を遂行することを特徴とする請求項３に記載の文字入力装置。
【請求項１９】
前記入力手段は、弾性材質で形成されることを特徴とする請求項２に記載の文字入力装置。
【請求項２０】
前記入力手段の上部面には摺動防止部が設けられることを特徴とする請求項２に記載の文字入力装置。
【請求項２１】
前記基準位置には前記入力手段が前記基準位置に位置していることを感知する基準位置感知部をさらに含むことを特徴とする請求項２に記載の文字入力装置。
【請求項２２】
前記方向押圧入力は、前記入力手段の上段部材が放射方向に向けて傾きながら入力されることを特徴とする請求項２乃至５のうち、いずれか１項に記載の文字入力装置。
【請求項２３】
前記方向押圧入力は、前記入力手段の各放射方向に対応して設けられた押圧部を選択することにより入力されることを特徴とする請求項２乃至５中いずれか１項に記載の文字入力装置。
【請求項２４】
前記入力手段がポインティングデバイスである場合、前記押圧部は前記ポインティングデバイスの側面から外周面に沿って各放射方向に対応して設けられることを特徴とする請求項２３に記載の文字入力装置。
【請求項２５】
前記方向移動入力によっては子音文字が、前記方向押圧入力によっては母音文字が入力されることを特徴とする請求項１または３に記載の文字入力装置。
【請求項２６】
前記方向押圧入力は８個の入力方向を有し、前記方向押圧入力にはアルファベットの‘Ａ’、‘Ｉ’、‘Ｅ’、‘Ｏ’、‘Ｕ’と、‘Ｗ’、‘Ｙ’のうち、１つ以上が割り当てられることを特徴とする請求項２５に記載の文字入力装置。
【請求項２７】
前記制御部は、ハングル入力時、前記方向移動入力と前記方向押圧入力が所定の時間内に入力される場合、子音入力を先に入力することを特徴とする請求項２６に記載の文字入力装置。
【請求項２８】
前記入力手段に中央入力が可能であることを特徴とする請求項２乃至５のうち、いずれか１項に記載の文字入力装置。
【請求項２９】
前記中央入力は、前記入力手段の中央部に設けられて上下移動可能に設けられた中央入力キーと、前記中央入力キーの移動を感知する中央入力キー感知部により遂行されることを特徴とする請求項２８に記載の文字入力装置。
【請求項３０】
前記中央入力は、前記入力手段の全体が上下に移動され、ポンピング入力が遂行され、前記ポンピング入力を感知するポンピング入力感知部により遂行されることを特徴とする請求項２９に記載の文字入力装置。
【請求項３１】
前記中央入力は、多段入力可能に設けられることを特徴とする請求項２９に記載の文字入力装置。
【請求項３２】
前記中央入力により入力モード切換が遂行されることを特徴とする請求項２９に記載の文字入力装置。
【請求項３３】
前記中央入力と前記方向移動入力、または前記方向押圧入力のうち、どれか１つが同時に遂行される場合、各方向移動入力または方向押圧入力に割り当てられた文字の変換、モード切換、または独立された入力命令のうち、どれか１つが遂行されることを特徴とする請求項２９に記載の文字入力装置。
【請求項３４】
前記方向押圧入力は４個の入力方向を有し、アルファベット文字入力時、前記各入力方向には‘Ａ’、‘Ｅ、Ｉ’、‘Ｗ、Ｙ’、‘Ｏ、Ｕ’の１つまたは２つの文字が、ハングル文字入力時、前記各入力方向には
2009516260.tif 000047
の２つずつの文字が割り当てられることを特徴とする請求項３３に記載の文字入力装置。
【請求項３５】
前記多段方向移動入力のうちのどれか１つ、前記方向押圧入力または前記中央入力のうちのどれか１つにより、数字または記号のうちのどれか１つの入力セットが入力されることを特徴とする請求項４に記載の文字入力装置。
【請求項３６】
前記入力手段、移動入力感知部、押圧入力感知部、及び制御部が受容されるケースをさらに含み、前記ケースには前記入力手段により入力される文字モード（記号、数字、狭義の文字）を切換させる１つ以上の切換キーが設けられることを特徴とする請求項１に記載の文字入力装置。
【請求項３７】
前記ケースには、データ入力時、エンター、取消、カーソル移動、スペース、シフト、コントロール、または文字の組合せのうち、どれか１つの機能を遂行する１つ以上のファンクションキーがさらに設けられることを特徴とする請求項３６に記載の文字入力装置。
【請求項３８】
前記制御部により抽出された文字が表示されるディスプレイ部をさらに含むことを特徴とする請求項１に記載の文字入力装置。
【請求項３９】
前記ディスプレイ部を通じて使用者の入力動作に従う入力内容、または選択された文字モードに従う入力内容が表示される入力ウィンドウを表示することを特徴とする請求項３８に記載の文字入力装置。
【請求項４０】
入力手段の方向移動によりポインタの位置が移動され、方向押圧入力によりマウスのボタン操作が遂行されることを特徴とする請求項２または３に記載の文字入力装置。
【請求項４１】
前記移動入力感知部または前記押圧入力感知部は、前記入力手段の入力半径の全体に分布されることを特徴とする請求項１に記載の文字入力装置。
【請求項４２】
前記入力手段の外側に、入力状態によって、スクロール、ボリューム調節、または検索機能を遂行する回転ホイールがさらに備えられたことを特徴とする請求項４１に記載の文字入力装置。
【請求項４３】
前記入力手段は、方向移動及び方向押圧入力が可能であるように突出していることを特徴とする請求項２３に記載の文字入力装置。
【請求項４４】
前記入力手段の側面に多数の押圧スイッチが形成されていることを特徴とする請求項４３に記載の文字入力装置。
【請求項４５】
前記入力手段は、自体が回転可能に設けられることを特徴とする請求項２乃至５のうち、いずれか１項に記載の文字入力装置。
【請求項４６】
前記入力手段は、２つの入力部から構成されたことを特徴とする請求項１に記載の文字入力装置。
【請求項４７】
基準位置を中心として各放射方向に移動しながら遂行される方向移動入力及び上段部材が各放射方向に向けて傾きながら遂行される方向押圧入力が可能であるように設けられた入力手段と、
前記方向移動入力を感知する移動入力感知部と、
前記方向押圧入力を感知する押圧入力感知部と、
前記移動入力感知部及び押圧入力感知部の感知結果に基づいて、これに対応する入力命令結果をメモリ部から抽出して実行する制御部と、
を含むことを特徴とする入力装置。
【請求項４８】
基準位置を中心として各放射方向に移動しながら方向移動入力がなされる入力手段と、
前記入力手段の各放射方向に対応して設けられて方向押圧入力が遂行される押圧部と、
前記方向移動入力を感知する移動入力感知部と、
前記方向押圧入力を感知する押圧入力感知部と、
前記移動入力感知部及び押圧入力感知部の感知結果に基づいて、これに対応する入力命令結果をメモリ部から抽出して実行する制御部と、
を含むことを特徴とする入力装置。
【請求項４９】
前記入力手段の中央部に設けられて上下移動可能に設けられた中央入力キーと、前記中央入力キーの移動を感知する中央入力キー感知部をさらに含むことを特徴とする請求項４７または４８に記載の入力装置。
【請求項５０】
前記方向移動入力は、前記入力手段が前記基準位置を中心として円周方向にも移動しながら遂行されることを特徴とする請求項４８または４９に記載の入力装置。
【請求項５１】
前記移動入力感知部は多段入力が遂行されることを特徴とする請求項４９または５０に記載の入力装置。
【請求項５２】
前記入力手段は左右２対で構成されたことを特徴とする請求項５０または５１に記載の入力装置。
【請求項５３】
前記方向移動入力によっては子音文字が、前記方向押圧入力によっては母音文字が入力されることを特徴とする請求項５１または５２に記載の入力装置。
【請求項５４】
入力手段の方向移動によりポインタの位置が移動され、方向押圧入力によりマウスのボタン操作が遂行されることを特徴とする請求項５１または５２に記載の入力装置。
【請求項５５】
前記入力手段によりゲーム操作命令を遂行することを特徴とする請求項５１または５２に記載の入力装置。
【請求項５６】
前記入力手段はディスプレイ部と脱着可能であることを特徴とする請求項４１に記載の文字入力装置。
【請求項５７】
前記移動入力感知部は円形ガイド側面に設置されていることを特徴とする請求項１２に記載の文字入力装置。
【請求項５８】
前記方向移動入力は、前記入力手段が放射方向にスライディングされながら遂行されることを特徴とする請求項５１または５２に記載の入力装置.
【請求項５９】
前記方向移動入力は、前記入力手段が放射方向に傾きながら遂行されることを特徴とする請求項５１または５２に記載の入力装置。
【請求項６０】
前記入力手段は、移動後、基準位置に自動復帰可能であることを特徴とする請求項５１または５２に記載の入力装置。
【請求項６１】
前記入力手段の上段は、一つの指を当てた状態で前記各放射方向に方向押圧できるサイズの面積を有し、
前記入力手段の方向移動入力は、一つの指の移動半径内で移動可能に設けられることを特徴とする請求項５１または５２に記載の入力装置。
【請求項６２】
前記入力手段の上段は一つの指の移動半径内で前記各放射方向に方向押圧できるサイズの面積を有し、
前記入力手段の方向移動入力は一つの指の移動半径内で移動可能に設けられることを特徴とする請求項５１または５２に記載の入力装置。
【請求項６３】
前記制御部は最も大きい変化を表した感知部を入力方向と決定することを特徴とする請求項２乃至５のうち、いずれか１項に記載の文字入力装置。
【請求項６４】
前記入力手段は、移動後、基準位置に自動復帰が可能であることを特徴とする請求項１に記載の文字入力装置。
【請求項６５】
一側の入力部は子音が、他側の入力部は母音が配置されることを特徴とする 請求項５０に記載の文字入力手段。
【国際調査報告】
2009516260.tif 000048
2009516260.tif 000049